(57)【要約】  光を照射する送光プローブ１２と、光を受光する受光プローブ１３とが交互に第二設定距離ｒ２で並べられるように保持可能なホルダ３０であって、送光プローブ１２の保持位置又は受光プローブ１３の保持位置から第二設定距離ｒ２より短い第一設定距離ｒ１で離れた位置に複数の第一貫通孔Ｂが形成されており、第一貫通孔Ｂには、光を照射するか若しくは光を受光する参照プローブ１４が挿入されることが可能となっており、参照プローブ１４が挿入されていない第一貫通孔Ｂには、光を透過しない取付部材４０が着脱可能に備えられていることを特徴とする。
2013179406.tif 000002
【特許請求の範囲】
【請求項１】
光を照射する送光プローブと、光を受光する受光プローブとが交互に第二設定距離ｒ２で並べられるように保持可能なホルダであって、
送光プローブの保持位置又は受光プローブの保持位置から第二設定距離ｒ２より短い第一設定距離ｒ１で離れた位置に複数の第一貫通孔が形成されており、
前記第一貫通孔には、光を照射するか若しくは光を受光する参照プローブが挿入されることが可能となっており、
前記参照プローブが挿入されていない第一貫通孔には、光を透過しない取付部材が着脱可能となっており、
前記取付部材を備えることを特徴とするホルダ。
【請求項２】
送光プローブ又は受光プローブが挿入されることが可能な複数の第二貫通孔が形成されており、
送光プローブ又は受光プローブが挿入されていない第二貫通孔には、前記取付部材が着脱可能となっていることを特徴とする請求項１に記載のホルダ。
【請求項３】
前記第一貫通孔は、送光プローブの保持位置と受光プローブの保持位置とを結んだ線の中点に形成されていることを特徴とする請求項１又は請求項２に記載のホルダ。
【請求項４】
前記第二設定距離ｒ２は、３０ｍｍであることを特徴とする請求項１〜請求項３のいずれか１項に記載のホルダ。
【請求項５】
請求項１〜請求項４のいずれか１項に記載のホルダと、
光を照射する送光プローブと、
光を受光する受光プローブと、
光を照射するか若しくは光を受光する参照プローブと、
前記送光プローブ、受光プローブ及び参照プローブに対して光の送受光を制御する制御部とを備えることを特徴とする光生体測定装置。
【発明の詳細な説明】
【技術分野】
【０００１】
本発明は、ホルダ及びこれを用いた光生体測定装置に関する。
【背景技術】
【０００２】
近年、脳の活動状況を観察するために、光を用いて簡便に非侵襲で測定する光脳機能イメージング装置（光生体測定装置）が開発されている。このような光脳機能イメージング装置では、被検者の頭皮表面上に配置した送光プローブにより、異なる３種類の波長λ１、λ２、λ３（例えば、７８０ｎｍと８０５ｎｍと８３０ｎｍ）の近赤外光を脳に照射するとともに、頭皮表面上に配置した受光プローブにより、脳から放出された各波長λ１、λ２、λ３の近赤外光の強度変化（受光量情報）ΔＡ（λ１）、ΔＡ（λ２）、ΔＡ（λ３）をそれぞれ検出する。
そして、このようにして得られた受光量情報ΔＡ（λ１）、ΔＡ（λ２）、ΔＡ（λ３）から、脳血流中のオキシヘモグロビンの濃度変化・光路長積[oxyHb]と、デオキシヘモグロビンの濃度変化・光路長積[deoxyHb]とを求めるために、例えば、Modified Beer Lambert則を用いて関係式（１）（２）（３）に示す連立方程式を作成して、この連立方程式を解いている。さらには、オキシヘモグロビンの濃度変化・光路長積[oxyHb]と、デオキシヘモグロビンの濃度変化・光路長積[deoxyHb]とから総ヘモグロビンの濃度変化・光路長積（[oxyHb]＋[deoxyHb]）を算出している。
ΔＡ（λ１）＝ＥＯ（λ１）×[oxyHb]＋Ｅｄ（λ１）×[deoxyHb]・・・（１）
ΔＡ（λ２）＝ＥＯ（λ２）×[oxyHb]＋Ｅｄ（λ２）×[deoxyHb]・・・（２）
ΔＡ（λ３）＝ＥＯ（λ３）×[oxyHb]＋Ｅｄ（λ３）×[deoxyHb]・・・（３）
なお、ＥＯ（λｍ）は、波長λｍの光におけるオキシヘモグロビンの吸光度係数であり、Ｅｄ（λｍ）は、波長λｍの光におけるデオキシヘモグロビンの吸光度係数である。【０００３】
ここで、送光プローブと受光プローブとの間の距離（チャンネル）と、測定部位との関係について説明する。図６は、一対の送光プローブ及び受光プローブと、測定部位との関係を示す図である。送光プローブ１２が被検者の頭皮表面の送光点Ｔに押し当てられるとともに、受光プローブ１３が被検者の頭皮表面の受光点Ｒに押し当てられる。そして、送光プローブ１２から光を照射させるとともに、受光プローブ１３に頭皮表面から放出される光を入射させる。このとき、頭皮表面の送光点Ｔから照射された光のうちで、バナナ形状（測定領域）を通過した光が頭皮表面の受光点Ｒに到達する。すなわち、光は、送光点Ｔ近傍の皮膚に存在する血管と、脳に存在する血管と、受光点Ｒ近傍の皮膚に存在する血管とを通過することになる。【０００４】
そこで、脳に存在する血管のみによる受光量情報ΔＡを取得するために、送光プローブ１２と受光プローブ１３との間の距離（チャンネル）を、短距離ｒ１としたものと長距離ｒ２としたものとを備えるものが開示されている（例えば、特許文献１や非特許文献１参照）。図７は、送光プローブ１２と短距離ｒ１となる参照プローブ１４及び長距離ｒ２となる受光プローブ１３と、測定部位との関係を示す断面図である。これにより、長距離ｒ２のチャンネルで、送光点Ｔ近傍の皮膚に存在する血管と、脳に存在する血管と、受光点Ｒ２近傍の皮膚に存在する血管とによる第二受光量情報ΔＡ２を取得するとともに、短距離ｒ１のチャンネルで、送光点Ｔ近傍の皮膚に存在する血管（受光点Ｒ１近傍の皮膚に存在する血管）のみによる第一受光量情報ΔＡ１を取得している。【０００５】
そして、このようにして得られた受光量情報ΔＡ１、ΔＡ２から式（４）を用いて、脳に存在する血管のみによる受光量情報ΔＡを求めている。
ΔＡ＝ΔＡ２−ＫΔＡ１・・・（４）
ところで、式（４）において受光量情報ΔＡを求めるためには係数Ｋを決定する必要があり、この係数Ｋを算出する算出方法が開示されている（例えば、非特許文献２参照）。この算出方法では、最小二乗誤差を用いて係数Ｋを算出している。【０００６】
また、光脳機能イメージング装置では、脳の複数箇所の測定部位に関するオキシヘモグロビンの濃度変化・光路長積[oxyHb]、デオキシヘモグロビンの濃度変化・光路長積[deoxyHb]及び総ヘモグロビンの濃度変化・光路長積（[oxyHb]＋[deoxyHb]）をそれぞれ測定するために、例えば、近赤外分光分析計等が利用されている（例えば、特許文献２参照）。
このような近赤外分光分析計においては、送光プローブ１２や受光プローブ１３や参照プローブ１４を所定の配列で被検者の頭皮表面に接触させるために、ホルダ１３０が使用される。図８は、８個の送光プローブ１２と８個の受光プローブ１３と１２個の参照プローブ１４とが挿入されることが可能なホルダ１３０の一例を示す平面図である。【０００７】
ホルダ１３０は、８個の送光プローブ１２Ｔ１〜１２Ｔ８と８個の受光プローブ１３Ｒ１〜１３Ｒ８とを挿入することが可能となる第二貫通孔Ｔ１〜Ｔ８、Ｒ１〜Ｒ８と、１２個の参照プローブ１４Ｂ１〜１４Ｂ１２を挿入することが可能となる第一貫通孔Ｂ１〜Ｂ１２とが形成されている。
送光プローブ１２Ｔ１〜１２Ｔ８が挿入可能な第二貫通孔Ｔ１〜Ｔ８と受光プローブ１３Ｒ１〜１３Ｒ８が挿入可能な第二貫通孔Ｒ１〜Ｒ８とは、縦方向に４個と横方向に４個とに交互となるように正方格子状に形成されている。このとき、送光プローブ１２Ｔ１〜１２Ｔ８が挿入可能な第二貫通孔Ｔ１〜Ｔ８と受光プローブ１３Ｒ１〜１３Ｒ８が挿入可能な第二貫通孔Ｒ１〜Ｒ８との間の間隔（チャンネル）である第二設定距離ｒ２は、３０ｍｍとなっている。これにより、２４箇所の計測位置に関する第二受光量情報ΔＡ２ｎ（λ１）、ΔＡ２ｎ（λ２）、ΔＡ２ｎ（λ３）（ｎ＝１，２，・・・，２４）の収集を行うことができるようになっている。【０００８】
また、参照プローブ１４Ｂ１が挿入可能な第一貫通孔Ｂ１は、送光プローブ１２Ｔ１が挿入可能な第二貫通孔Ｔ１と受光プローブ１３Ｒ３が挿入可能な第二貫通孔Ｒ３との間で、送光プローブ１２Ｔ１が挿入可能な第二貫通孔Ｔ１と第一設定距離ｒ１で離れた位置に形成されており、送光プローブ１２Ｔ１が挿入可能な第二貫通孔Ｔ１と参照プローブ１４Ｂ１が挿入可能な第一貫通孔Ｂ１との間の間隔である第一設定距離ｒ１は、１５ｍｍとなっている。そして、参照プローブ１４Ｂ２が挿入可能な第一貫通孔Ｂ２は、送光プローブ１２Ｔ３が挿入可能な第一貫通孔Ｔ３と第一設定距離ｒ１で離れた位置に形成され、参照プローブ１４Ｂ３が挿入可能な第一貫通孔Ｂ３は、送光プローブ１２Ｔ２が挿入可能な第二貫通孔Ｔ２と第一設定距離ｒ１で離れた位置に形成されるように、各参照プローブ１４が挿入可能な第一貫通孔は、各送光プローブ１２が挿入可能な第二貫通孔と第一設定距離ｒ１で離れた位置にそれぞれ形成されている。これにより、１２箇所の計測位置に関する第一受光量情報ΔＡ１ｍ（λ１）、ΔＡ１ｍ（λ２）、ΔＡ１ｍ（λ３）（ｍ＝１，２，・・・，１２）の収集を行うことができるようになっている。
【先行技術文献】
【特許文献】
【０００９】
【特許文献１】特開２００９−１３６４３４号公報
【特許文献２】特開２００１−３３７０３３号公報
【非特許文献】
【００１０】
【非特許文献１】Rolf B. Saager, and Andrew J. Berger "Direct characterization and removal of interfering absorption trends in two-layer turbid media" J. Opt. Soc. Am. A/Vol.22, No.9/September 2005.
【非特許文献２】Francesco Fabbri, Angelo Sassaroli, Michael e Henry, and Sergio Fantini "Optical measurements of absorption changes in two-layered diffusive media" Phys. Med. Biol. 49(2004) 1183 - 1201.
【発明の概要】
【発明が解決しようとする課題】
【００１１】
ところで、上述したホルダ１３０には、１２個の第一貫通孔Ｂ１〜Ｂ１２が形成されているが、１２個全部の第一貫通孔Ｂ１〜Ｂ１２に参照プローブ１４Ｂ１〜１４Ｂ１２を挿入して使用することもあるが、例えば、４個の第一貫通孔Ｂのみに参照プローブ１４を挿入して使用することもある。このとき、参照プローブ１４が挿入されていない第一貫通孔Ｂから外乱光が入射することにより、受光プローブ１３Ｒ１〜１３Ｒ８が外乱光を検出してしまうという問題点があった。【００１２】
また、上述したホルダ１３０に、８個の送光プローブ１２と８個の受光プローブ１３と４個の参照プローブ１４とを挿入して使用することになるが、多くの貫通孔Ｔ１〜Ｔ８、Ｒ１〜Ｒ８、Ｂ１〜Ｂ１２が存在するため、どの貫通孔にどのプローブを挿入すればよいかを把握することが難しく、挿入に時間がかかったり、間違えたりすることがあった。
そこで、本発明は、第一貫通孔から外乱光が入射することを防止するとともに、貫通孔にプローブを容易かつ正確に挿入することができるホルダ及びこれを用いた光生体測定装置を提供することを目的とする。
【課題を解決するための手段】
【００１３】
上記課題を解決するためになされた本発明のホルダは、光を照射する送光プローブと、光を受光する受光プローブとが交互に第二設定距離ｒ２で並べられるように保持可能なホルダであって、送光プローブの保持位置又は受光プローブの保持位置から第二設定距離ｒ２より短い第一設定距離ｒ１で離れた位置に複数の第一貫通孔が形成されており、前記第一貫通孔には、光を照射するか若しくは光を受光する参照プローブが挿入されることが可能となっており、前記参照プローブが挿入されていない第一貫通孔には、光を透過しない取付部材が着脱可能となっており、前記取付部材を備えるようにしている。【００１４】
ここで、「第二設定距離ｒ２」は、送光点Ｔ近傍の皮膚に存在する血管と、脳に存在する血管と、受光点Ｒ近傍の皮膚に存在する血管とによる第二受光量情報を取得するための距離であり、「第一設定距離ｒ１」は、送光点Ｔ又は受光点Ｒ近傍の皮膚に存在する血管による第一受光量情報を取得するための距離である。
【発明の効果】
【００１５】
以上のように、本発明のホルダによれば、参照プローブが挿入されていない第一貫通孔には、光を透過しない取付部材が取り付けられるので、第一貫通孔から外乱光が入射することを防止することができる。
また、送光プローブと受光プローブとをホルダに取り付ける際には、第一貫通孔に取付部材を取り付けておくと、送光プローブと受光プローブとを第一貫通孔に誤って挿入することはなく、さらに取付部材が取り付けられていない貫通孔に、送光プローブと受光プローブとが交互となるように挿入すればよいので、送光プローブと受光プローブとを容易かつ正確に挿入することができる。そして、参照プローブをホルダに取り付ける際には、所望の第一貫通孔から取付部材を取り外すことで、参照プローブも容易かつ正確に挿入することができる。【００１６】
（その他の課題を解決するための手段及び効果）
また、本発明のホルダにおいては、送光プローブ又は受光プローブが挿入されることが可能な複数の第二貫通孔が形成されており、送光プローブ又は受光プローブが挿入されていない第二貫通孔には、前記取付部材が着脱可能となっているようにしてもよい。【００１７】
また、本発明のホルダにおいては、前記第一貫通孔は、送光プローブの保持位置と受光プローブの保持位置とを結んだ線の中点に形成されているようにしてもよい。
本発明のホルダによれば、取付部材がなければ脳の計測位置に外乱光が入射することになるが、取付部材が存在するので、外乱光が入射することを防止することができる。【００１８】
そして、本発明のホルダにおいては、前記第二設定距離ｒ２は、３０ｍｍであるようにしてもよい。
さらに、本発明の光生体測定装置においては、上述したようなホルダと、ホルダと、光を照射する送光プローブと、光を受光する受光プローブと、光を照射するか若しくは光を受光する参照プローブと、前記送光プローブ、受光プローブ及び参照プローブに対して光の送受光を制御する制御部とを備えるようにしてもよい。
【図面の簡単な説明】
【００１９】
【図１】本発明の一実施形態である光生体計測装置の概略構成を示すブロック図。
【図２】８個の送光プローブと８個の受光プローブと１２個の参照プローブとが挿入されるホルダにおいて、１２個の取付部材が挿入されたときの一例を示す平面図。
【図３】取付部材の一例を示す斜視図。
【図４】８個の送光プローブと８個の受光プローブと８個の取付部材４０とが挿入されたホルダの一例を示す平面図。
【図５】ホルダの使用方法の一例について説明するフローチャート。
【図６】一対の送光プローブ及び受光プローブと、測定部位との関係を示す図。
【図７】送光プローブと短距離ｒ１となる参照プローブ及び長距離ｒ２となる受光プローブと、測定部位との関係を示す断面図。
【図８】８個の送光プローブと８個の受光プローブと１２個の参照プローブとが挿入されることが可能なホルダの一例を示す平面図。
【発明を実施するための形態】
【００２０】
以下、本発明の実施形態について図面を用いて説明する。なお、本発明は、以下に説明するような実施形態に限定されるものではなく、本発明の趣旨を逸脱しない範囲で種々の態様が含まれる。
【００２１】
図１は、本発明の一実施形態である光生体計測装置の概略構成を示すブロック図である。光生体計測装置１は、光を出射する光源２と、光源２を駆動する光源駆動機構４と、光を検出する光検出器３と、Ａ／Ｄ（Ａ／Ｄコンバータ）５と、制御部２１とを備えるとともに、８個の送光プローブ１２と、８個の受光プローブ１３と、４個の参照プローブ１４と、ホルダ３０とを備える。
【００２２】
光源駆動機構４は、制御部２１から入力された駆動信号により８個の送光プローブ１２Ｔ１〜１２Ｔ８のうちから選択される１個の送光プローブ１２に光を送光する。上記光としては、近赤外光（例えば、７８０ｎｍと８０５ｎｍと８３０ｎｍとの３波長光）が用いられる。
光検出器３は、８個の受光プローブ１３Ｒ１〜１３Ｒ８で受光した近赤外光（例えば、７８０ｎｍと８０５ｎｍと８３０ｎｍとの３波長光）を個別に検出することにより、８個の第二受光量情報ΔＡ２（λ１）、ΔＡ２（λ２）、ΔＡ２（λ３）を制御部２１に出力するとともに、４個の参照プローブ１４で受光した近赤外光（例えば、７８０ｎｍと８０５ｎｍと８３０ｎｍとの３波長光）を個別に検出することにより、４個の第一受光量情報ΔＡ１（λ１）、ΔＡ１（λ２）、ΔＡ１（λ３）を制御部２１に出力する。
【００２３】
送光プローブ１２は、第二貫通孔Ｔに挿入可能な円柱形状をしている。そして、送光プローブ１２の上端部は、光ファイバ等の導光路を介して光源２と接続され、下端部から光を照射するようになっている。
受光プローブ１３も、送光プローブ１２と同様の円柱形状をしている。そして、受光プローブ１３の上端部は、光ファイバ等の導光路を介して光検出部３と接続され、その下端部で光を受光するようになっている。
参照プローブ１４も、送光プローブ１２と同様の円柱形状をしている。そして、受光プローブ１３の上端部は、光ファイバ等の導光路を介して光検出部３と接続され、その下端部で光を受光するようになっている。
【００２４】
ここで、図２は、８個の送光プローブ１２と８個の受光プローブ１３と１２個の参照プローブ１４とが挿入されることが可能なホルダ３０において、１２個の取付部材４０が挿入されたときの一例を示す平面図である。なお、ホルダ１３０と同様のものについては、同じ符号を付している。
ホルダ３０は、８個の送光プローブ１２Ｔ１〜１２Ｔ８と８個の受光プローブ１３Ｒ１〜１３Ｒ８とを挿入することが可能となる第二貫通孔Ｔ１〜Ｔ８、Ｒ１〜Ｒ８と、１２個の参照プローブ１４Ｂ１〜１４Ｂ１２を挿入することが可能となる第一貫通孔Ｂ１〜Ｂ１２とが形成されている。
【００２５】
本発明に係るホルダ３０は、１２個の取付部材４０を備える。図３（ａ）は、取付部材４０の一例を示す斜視図である。取付部材４０は、円柱形状の本体部４１と、本体部４１の上面に形成された把持部４２と、本体部４１の下面に形成された円柱形状の挿入部４３とを有する。
挿入部４３は、第一貫通孔Ｂに挿入されたり、挿入部４３が挿入された第一貫通孔Ｂから引き抜かれたり可能となっており、すなわち着脱可能となっている（図３（ｂ）参照）。具体的には、挿入部４３は、第一貫通孔Ｂ１〜Ｂ１２と同じ形状をしているか、若干大きくすることが好ましく、例えば、第一貫通孔Ｂ１〜Ｂ１２が直径５ｍｍ、深さ１ｃｍの円柱形状をしている場合には、挿入部４３は直径５ｍｍ、深さ１ｃｍの円柱形状をしている。なお、深さは同じでなくてもよい。
本体部４１は、第一貫通孔Ｂ１〜Ｂ１２の周縁となる円環部と同じ直径を持つ円柱形状であることが好ましい。
また、把持部４２は、医師や検査技師等に把持されるようになっているとともに、送光プローブ１２等に接続された光ファイバ等の導光路を束ねるために使用されるようになっている。
【００２６】
なお、上記本体部及び把持部を構成する材質としては、特に限定されるものではないが、例えば、ポリプロピレン、ポリ塩化ビニル、ポリアセタール等が挙げられる。また、上記挿入部を構成する材質としては、特に限定されるものではないが、例えば、ゴム等が挙げられる。
そして、本体部と挿入部との少なくとも一方を構成する材質は、光を透過しないものとする必要があるが、好ましくは本体部と挿入部との両方を構成する材質は、光を透過しないものとなる。
このような取付部材４０であれば、第一貫通孔Ｂに取付部材４０を上方から押し込むことにより、第一貫通孔Ｂに取付部材４０を取り付けることができ、また、第一貫通孔Ｂから取付部材４０を上方に引き抜くことにより、第一貫通孔Ｂから取付部材４０を取り外すことができる。
【００２７】
次に、本発明に係るホルダ３０の使用方法について説明する。図５は、ホルダ３０の使用方法の一例について説明するためのフローチャートである。
まず、ステップＳ１０１の処理において、医師や検査技師等は、図２に示すホルダ３０を準備する。このとき、１２個の第一貫通孔Ｂ１〜Ｂ１２には、それぞれ取付部材４０が取り付けられている。
【００２８】
次に、ステップＳ１０２の処理において、医師や検査技師等は、第二貫通孔Ｔ１〜Ｔ８に８個の送光プローブ１２Ｔ１〜１２Ｔ８を挿入するとともに、第二貫通孔Ｒ１〜Ｒ８に８個の受光プローブ１３Ｒ１〜１３Ｒ８を挿入する。このとき、１２個の第一貫通孔Ｂ１〜Ｂ１２には、それぞれ取付部材４０が取り付けられているので、送光プローブ１２と受光プローブ１３とを第一貫通孔Ｂ１〜Ｂ１２に誤って挿入することはない。さらに送光プローブ１２と受光プローブ１３とが交互となるように挿入すればよいので、送光プローブ１２と受光プローブ１３とを容易かつ正確に挿入することができる。
【００２９】
次に、ステップＳ１０３の処理において、医師や検査技師等は、所望の４個の第一貫通孔Ｂ３、Ｂ４、Ｂ７、Ｂ８から取付部材４０を取り外して、所望の４個の第一貫通孔Ｂ３、Ｂ４、Ｂ７、Ｂ８に４個の参照プローブ１４を挿入する。図４は、８個の送光プローブ１２と８個の受光プローブ１３と８個の取付部材４０とが挿入されたときのホルダ３０の一例を示す平面図である。なお、送光プローブ１２等に接続された光ファイバ等の導光路は省略している。
【００３０】
次に、ステップＳ１０４の処理において、医師や検査技師等は、測定を開始する。これにより、２４箇所の計測位置に関する第二受光量情報ΔＡ２ｎ（λ１）、ΔＡ２ｎ（λ２）、ΔＡ２ｎ（λ３）（ｎ＝１，２，・・・，２４）の収集と、４箇所の計測位置に関する第一受光量情報ΔＡ１ｍ（λ１）、ΔＡ１ｍ（λ２）、ΔＡ１ｍ（λ３）（ｍ＝１，２，・・・，４）の収集とを行う。
このとき、参照プローブ１４が挿入されていない第一貫通孔Ｂ１、Ｂ２、Ｂ５、Ｂ６、Ｂ９〜Ｂ１２には、取付部材４０が取り付けられているので、第一貫通孔Ｂ１、Ｂ２、Ｂ５、Ｂ６、Ｂ９〜Ｂ１２から外乱光が入射することを防止することができる。
そして、ステップＳ１０４の処理が終了したときには、本フローチャートを終了させる。
【００３１】
＜他の実施形態＞
（１）上述した光生体計測装置１では、１２個の取付部材４０は同一のものである構成を示したが、各取付部材にプローブ番号等が付されたラベルを取り付けることにより、識別できる構成としてもよい。
（２）上述した光生体計測装置１では、取付部材４０は第一貫通孔Ｂ１〜Ｂ１２に挿入される構成を示したが、取付部材は第二貫通孔Ｔ１〜Ｔ８、Ｒ１〜Ｒ８に挿入される構成としてもよい。
（３）上述した光生体計測装置１では、第一貫通孔Ｂに取付部材４０を押し込む押し込み方式で着脱可能となる構成を示したが、取付部材の挿入部の外周面と第一貫通孔Ｂの内周面とに、ネジが設けられており、ネジ式で着脱可能となる構成としてもよい。
（４）上述した光生体計測装置１では、第一貫通孔Ｂに取付部材４０を押し込む押し込み方式で着脱可能となる構成を示したが、第一貫通孔Ｂの周縁となる円環部の上面に、円盤形状の下面を粘着剤で貼り付ける貼付式で着脱可能となる構成としてもよい。
（５）上述した光生体計測装置１では、取付部材４０は、円柱形状の本体部４１と、把持部４２と、円柱形状の挿入部４３とを有する構成を示したが、取付部材は、第一貫通孔Ｂから光が入射しないものであればよい。例えば、取付部材４０において把持部４２を有さない形状や、取付部材４０において把持部４２と本体部４１とを有さない形状や、第一貫通孔Ｂの周縁となる円環部を包むようなキャップ状（帽子状）や、第一貫通孔Ｂに挿入する綿状体等であってもよい。
（６）上述した光生体計測装置１では、１個の第一貫通孔Ｂには１個の取付部材４０を取る付ける構成を示したが、２個等の複数個の第一貫通孔Ｂに１個の取付部材を取り付けるようなものであってもよい。
【産業上の利用可能性】
【００３２】
本発明は、非侵襲で脳活動を測定する光生体測定装置等に利用することができる。
【符号の説明】
【００３３】
１：  光生体測定装置
１２：  送光プローブ
１３：  受光プローブ
１４：  参照プローブ
２１：  制御部
３０：  ホルダ
４０：  取付部材
【図１】
2013179406.tif 000003
【図２】
2013179406.tif 000004
【図３】
2013179406.tif 000005
【図４】
2013179406.tif 000006
【図５】
2013179406.tif 000007
【図６】
2013179406.tif 000008
【図７】
2013179406.tif 000009
【図８】
2013179406.tif 000010
【国際調査報告】
2013179406.tif 000011
2013179406.tif 000012
2013179406.tif 000013
2013179406.tif 000014